(57)【要約】      （修正有）【課題】煩わしいボタンを掛けることなく簡単に着用することが出来るファスナー付きワイシャツを提供する。【解決手段】正面の下側前立て３及び上側前立て４にファスナー２ａ，２ｂを取付け、そして、上側前立て４の表面には複数の飾り用のボタンを等間隔で取付けている。【選択図】図１
0003196700.tif 000002
【実用新案登録請求の範囲】
【請求項１】
ワイシャツにおいて、正面の下側前立て及び上側前立てには互いに係合するファスナーをそれぞれ取付けると共にファスナーに沿って移動するスライダーを設け、そして、上側前立ての表面には複数の飾り用のボタンを等間隔で取付けたことを特徴とするファスナー付きワイシャツ。
【請求項２】
袖口にもファスナーを取付け、そして袖口の両端部の表面にはカフスボタンを、裏面にはスナップボタンを各々設けた請求項１記載のファスナー付きワイシャツ。
【考案の詳細な説明】
【技術分野】
【０００１】
本考案は正面と袖部分にファスナーを取付け、簡単に着用することが可能なワイシャツに関するものである。
【背景技術】
【０００２】
図４は従来の一般的なワイシャツを表しているように、ワイシャツを着用する場合には正面のボタン（イ）、（イ）・・・を外し、着用した状態でボタン（イ）、（イ）・・・を再び掛けなくてはならない。すなわち、ワイシャツの正面である下側前立て（ロ）には複数の上記ボタン（イ）、（イ）・・・が取付けられ、上側前立て（ハ）には複数のスリット状ボタン穴（ニ）、（ニ）・・・が貫通して設けられ、ボタン（イ）、（イ）・・・はスリット状ボタン穴（ニ）、（ニ）・・・に嵌められる。
【０００３】
ところで、上記ボタン穴（ニ）はスリット状に成っている為に、小さいボタン（イ）を嵌めにくく、特に年をとって手が不自由になるとワイシャツのボタン（イ）、（イ）・・・を掛けることが容易でない。その為にボタン（イ）の１つや２つを掛け忘れるといった場合が発生する。そこで、上記ボタン（イ）の代わりにファスナーを下側前立て（ロ）の表面と上側前立て（ハ）の裏面に取付けたワイシャツも知られている。
【０００４】
特開２０００−３４５４０１号に係る「面ファスナーを用いて前合わせを行うシャツ」は、高齢者や身体障害者が容易に着脱できるシャツである。
そこで、シャツの前面上前（上側前立て）にボタンと、ボタン穴かがりを有し、そのボタン及びボタン穴かがりの位置の裏側に面ファスナーの雄材が設けられ、上記面ファスナーの雄材に対応する下前の位置（下側前立て）に面ファスナー雌材が設けられている。
【０００５】
ところが、上記面ファスナーは所々に一定間隔で設けられており、面ファスナーの雄材と雌材とが互いに接着することでワイシャツの正面（前面）を閉じることが出来る。しかし、雄材と雌材が所定の位置で互いに正しく接着しない場合、すなわち、位置ズレした状態で互いに接着する場合、ワイシャツの前面にシワが生じたり、下側前立て及び上側前立ての位置ズレにて、着用したワイシャツが不格好になる。
【０００６】
また、特開２００８−１９５４５号に係る「かぶり着するワイシャツ」は、ワイシャツ前面の表側にボタンとボタン穴かがり部とが既にボタン掛けされた姿で設けられ、このワイシャツ前面の裏側の下部分とシャツ後面の表側下部分とが縫合され、この縫合部の上から衿元までファスナーが設けられている。
ただし、このようにかぶる形態としたワイシャツでは、あくまでもラフな服装であり、正式な場所へ出向く際に着用することは出来ない。
【０００７】
一方、ワイシャツには袖の先端部にもボタン（イ）とスリット状のボタン穴（ニ）が設けられているが、この袖のボタンに代わってファスナーを用い、ワイシャツを着用する際に袖口を開くようにすることも可能である。
【特許文献１】特開２０００−３４５４０１号に係る「面ファスナーを用いて前合わせを行うシャツ」
【特許文献２】特開２００８−１９５４５号に係る「かぶり着するワイシャツ」
【考案の開示】
【考案が解決しようとする課題】
【０００８】
このように、前面を閉じる為にファスナーを取付けたワイシャツは知られている。しかし、従来のファスナー付きワイシャツでは上記のごとき問題がある。本考案が解決しようとする課題はこの問題点であり、ファスナー付きのワイシャツであるが、着用した状態での外観は従来のボタン付きワイシャツの何ら変わらないワイシャツを提供する。
【課題を解決するための手段】
【０００９】
本考案のワイシャツは、ボタンの代わりにファスナーを取付けている。すなわち、ファスナーを開け閉めすることでワイシャツの着用を可能としている。そしてボタンも備えているが、該ボタンはワイシャツとしての外観が損なわれないように飾りとして機能している。すなわち、正面の下側前立てと上側前立てに課外に噛合うファスナーを沿設し、上側前立ての表面には一定間隔で飾りボタンを取付けている。
【００１０】
一方、袖の先端部にもボタンに代わってファスナーを取付けており、該ファスナーを介して袖口の開け閉めを行うことが出来る。しかも、袖口にも飾りとしてのボタン（カフスボタン）を備えている。
ここで、上記ボタンはあくまでも飾りとしてものである為に、ボタンが嵌るスリット状のボタン穴は無く、ボタンの形態及び大きさに関しては、装飾を第１として適したものが用いられる。
【考案の効果】
【００１１】
本考案に係るワイシャツは、ボタンの代わりにファスナーを取付けており、その為に小さいボタンをスリット状のボタン穴に嵌める必要はなく、手が不自由になった老人であっても手軽にワイシャツの着用が出来る。
そして、ボタンは飾りとして備わっている為に、着用した状態でのワイシャツの外観が損なわれることはなく、従来のボタン付きワイシャツと同じように見える。
また、袖の先端部にもファスナーを取付けている為に、袖口の開閉も楽であり、しかも袖口には飾りとしてもカフスボタンが備わっている為に、ワイシャツの袖口がスーツの袖口からはみ出しても、何ら外観が損なわれることはない。
【図面の簡単な説明】
【００１２】
【図１】ファスナーを開いた状態の本考案のワイシャツ正面。
【図２】ファスナーを閉じた状態の本考案のワイシャツ正面。
【図３】ファスナーを取付けている袖部分の実施例。
【図４】従来の一般的なワイシャツ。
【考案を実施するための形態】
【００１３】
図１は本考案に係るワイシャツ１の正面図を示す実施例である。ワイシャツ１は前面（正面）を同図に示すように開口することが出来、その為に左右の身頃の縁部である前立てにはファスナー２ａ，２ｂを取付けている。
すなわち、一方のファスナー２ａは下側前立て３の上面に取付けられ、他方のファスナー２ｂは上側前立て４の裏面に取付けられ、両ファスナー２ａ，２ｂは上記下側前立て３と上側前立て４に沿って裾から襟元まで沿設されている。そして、前上側前立て４の表面には複数のボタン５，５・・・が取付けられ、これら各ボタン５，５・・・は一定間隔で配列している。
【００１４】
図２はボタン５，５・・・が配列している状態が分かる正面図であり、ボタン５，５・・・は上側前立て４に糸で縫い付けられている。そして、ボタン５，５・・・を取付けている上側前立て４にて上記ファスナー２ａ，２ｂは被覆され、外観は一般的なワイシャツ１と同じになる。
すなわち、ボタン５，５・・・はワイシャツ１の前面を閉じるものではなく、あくまでの飾りに過ぎない。その為に、ボタン５，５・・・がスリット状のボタン穴嵌める必要はなく、飾りにふさわしい形態のボタン５，５・・・が使用される。
【００１５】
ワイシャツ１を着用するだけであるならば、上記ボタン５，５・・・は必要でないが、ビジネスマンが着用するワイシャツ１にはボタン付きが一般的であることから、本考案のワイシャツ１は飾りとしてのボタン５，５・・・を備えている。
図１ではスライダー６が裾まで下りてファスナー２ａ，２ｂが解除され、ワイシャツ１の前面が開口した状態であるが、スライダー６を持ち上げるならば、ファスナー２ａ，２ｂは互いに係合して前面は閉じることが出来る。
【００１６】
前面が閉じると同時に、図２に示すように上側前立て４は下側前立て３の上に重なり合って互いに係合したファスナー２ａ，２ｂは被覆され、外からファスナー２ａ，２ｂの存在は分からなくなる。
図２に示すように、ワイシャツ１を着用した状態では、上側前立て４に取付けられているボタン５，５・・・は飾りであり、該ボタン５，５・・・の大きさ並びに形態は自由である。そして、従来のワイシャツのようにボタン５，５・・・がスリット状のボタン穴に掛けられているように見せるため、ボタン穴かがり部を形成することも出来る。
【００１７】
一方、本考案のワイシャツ１は、袖７の先端部にもファスナー８ａ，８ｂを取付けていて、袖口９を閉じる際にはファスナー８ａ，８ｂのスライダー１０を操作することが出来る。そして、袖口９にはその表面にカフスボタンを取付け、裏面にはスナップボタン１１，１１を設けている。図３は袖口部分を示す本考案の具体例である。
【符号の説明】
【００１８】
１   ワイシャツ
２   ファスナー
３   前面下前
４   前面上前
５   ボタン
６   スライダー
７   袖
８   ファスナー
９   袖口
10   スライダー
11   スナップボタン
【図１】
0003196700.tif 000003
【図２】
0003196700.tif 000004
【図３】
0003196700.tif 000005
【図４】
0003196700.tif 000006